(57)【要約】【課題】従来、ＨＳＭ階層化ストレージ技術を利用したアーカイブシステムは、データの記録場所を意識する必要が無い反面、素材データがどのアーカイブメディアに記録されているかを、メディア毎に管理することが容易ではなかった。【解決手段】本発明のアーカイブシステムは、アーカイブ装置を備えたアーカイブシステムであって、  複数のアーカイブメディアの情報を管理及びするアーカイブシステムを制御する管理端末を有し、管理端末は、アーカイブメディアが故障時に、アーカイブ装置を制御して、他のアーカイブメディアの情報から故障したアーカイブメディアの情報を複製することを特徴とする。【選択図】  図１
2014016938.tif 000002
【特許請求の範囲】
【請求項１】
アーカイブ装置を備えたアーカイブシステムにおいて、
複数のアーカイブメディアの情報を管理及びするアーカイブシステムを制御する管理端末を有し、
前記管理端末は、アーカイブメディアが故障時に、アーカイブ装置を制御して、他のアーカイブメディアの情報から前記故障したアーカイブメディアの情報を複製することを特徴とするアーカイブシステム。
【請求項２】
アーカイブシステムのアーカイブメディア管理方法において、
アーカイブメディアに記憶してある情報を管理する情報管理ステップと、アーカイブメディアの管理情報にカテゴリ情報を付加するカテゴリ情報付加ステップとを有することを特徴とするカテゴリ別アーカイブメディア管理方法。
【発明の詳細な説明】
【技術分野】
【０００１】
本発明は、アーカイブシステムに関し、特にノンリニア番組収録送出装置で放送する番組素材を事前にビデオサーバなどの映像音声装置に記録し送出するシステム、及びその番組素材をアーカイブするメディアの管理方法に関するものである。
【背景技術】
【０００２】
従来、ＨＳＭ（Ｈｉｅｒａｒｃｈｉｃａｌ  ｓｔｏｒａｇｅ  ｍａｎａｇｅｍｅｎｔ）階層化ストレージ技術を採用しているアーカイブシステムは、ファイルシステムと連携して、アーカイブされたデータをアプリケーションに透過的に提供していた。
【０００３】
また、アーカイブ装置に保存された送出用素材は、番組登録送出システムで容易に検索かつ確認することのできるようにしていた。（例えば、特許文献１参照。）。
【先行技術文献】
【特許文献】
【０００４】
【特許文献１】特開２００８−２２４５４３号公報
【発明の概要】
【発明が解決しようとする課題】
【０００５】
従来、ＨＳＭ（Ｈｉｅｒａｒｃｈｉｃａｌ  ｓｔｏｒａｇｅ  ｍａｎａｇｅｍｅｎｔ）階層化ストレージ技術を利用したアーカイブシステムは、データの記録場所を意識する必要が無い反面、素材データがどのアーカイブメディアに記録されているかを、メディア毎に管理することが容易ではなかった。
【課題を解決するための手段】
【０００６】
本発明のアーカイブシステムは、アーカイブ装置を備えたアーカイブシステムであって、  複数のアーカイブメディアの情報を管理及びするアーカイブシステムを制御する管理端末を有し、管理端末は、アーカイブメディアが故障時に、アーカイブ装置を制御して、他のアーカイブメディアの情報から故障したアーカイブメディアの情報を複製することを特徴とする。
【０００７】
本発明のカテゴリ別アーカイブメディア管理方法は、アーカイブメディアに記憶してある情報を管理する情報管理ステップと、アーカイブメディアの管理情報にカテゴリ情報を付加するカテゴリ情報付加ステップとを有することを特徴とする。
【発明の効果】
【０００８】
本発明のアーカイブシステムは、アーカイブメディアをカテゴリ又はジャンル毎に容易に管理することができる。
【０００９】
また、本発明のアーカイブシステムは、アーカイブメディアが故障しても他のアーカイブメディアから容易に複製することができる。
【図面の簡単な説明】
【００１０】
【図１】本発明の一実施例であるノンリニア番組収録送出システムの一部の機能であるアーカイブシステムを説明するためのブロック図である。
【図２】本発明の一実施例であるアーカイブシステムの動作を説明するためのフローである。
【図３】本発明の他の一実施例であるアーカイブシステムにおけるアーカイブメディアが故障し、そのアーカイブメディアの複製を生成するための動作を説明するためのフローである。
【図４】本発明の一実施例であるアーカイブシステムにおける管理端末の動作を説明するためのフローチャートである。
【図５】本発明の一実施例である管理端末の表示部に表示する内容を説明するための図である。
【図６】本発明の他の一実施例であるアーカイブシステムにおけるアーカイブメディアの複製の動作を説明するための図である。
【図７】本発明の一実施例であるデータベースサーバに記憶しているメディア記憶状況管理テーブルを説明するための図である。
【発明を実施するための形態】
【００１１】
以下、本発明の実施形態を説明する。
本発明の一実施例を図１で説明する。図１は本発明の一実施例であるノンリニア番組収録送出システムの一部の機能であるアーカイブシステムを説明するためのブロック図である。
まず、図１は本発明の一実施形態で、これは、ビデオサーバを登録用と送出用に分けて専用化し、これらの間にアーカイブ装置と呼ばれる大容量の外部記憶装置を介在させたものである。
【００１２】
このため、図１では、１台の登録用サーバ１２に対して２台の送出用サーバ１８、１９を用い、これらの間に２台のアーカイブ装置１４、１５を介在させたもので、これら間は各々光ファイバチャネル等で接続している。
【００１３】
周知のように、放送局の業務では、夫々の放送素材について、夫々を送出する時間が予め１日単位で細かく決定され、前日までに放送スケジュールとして確定されるのが通例で、これに従ってスケジュールデータが作成され、放送進行データとして設定されるのが一般的であるが、このとき、図示していないスケジュール管理システムが放送進行データを作成する働きをする。
【００１４】
そして、登録用サーバ１２には、素材装置１１から映像音声信号が入力され、データベースサーバ１３には、素材装置１１から素材の管理データが供給される。
【００１５】
一方、２台の送出用サーバ１８、１９からは、送出ライン２０、２１を介して各々映像音声信号が取り出され、図示していない放送用送信装置などに供給する。
【００１６】
制御装置１６は、管理端末１７の指示に従いノンリニア番組収録送出システム全体の制御を行う。
管理端末１７は、表示部１７０を備えている。
【００１７】
カテゴリＸ棚２２，カテゴリＹ棚２３，カテゴリＺ棚２４は、アーカイブメディアを収納する棚である。
カテゴリＸ棚２２，カテゴリＹ棚２３，カテゴリＺ棚２４は、周知のアーカイブメディアのメディアチェンジャー等であっても良い。
以下、カテゴリＸ棚２２，カテゴリＹ棚２３，カテゴリＺ棚２４は、総称してカテゴリ棚２２と称する。
アーカイブする記録メディアは、例えば、テープ、光ディスク、半導体メモリ、ＨＤＤ（Ｈａｒｄ  Ｄｉｓｋ  Ｄｒｉｖｅ）等である。
例えば、記録メディアがＬＴＯ（Ｌｉｎｅａｒ  Ｔａｐｅ−Ｏｐｅｎ）テープの場合は、テープの背ラベルにバーコードシールを貼り、バーコードと同様の識別コードを内蔵の半導体チップに記録することで、アーカイブ装置にマウントされた時に、ドライブがチップに記録された識別コードを読込むことで、マウントされたＬＴＯ
テープがどのカテゴリ／ジャンルを記録するためのテープであるかを識別可能となる。
【００１８】
次に、本発明の一実施例の動作フローを図２で説明する。図２は本発明の一実施例であるアーカイブシステムのアーカイブ動作を説明するためのフローである。
【００１９】
管理端末１７は、素材装置１１に記憶してある所定の素材データを登録用サーバ１２に登録（記憶）するため、登録指示を生成し（２０１）、制御装置１６に登録指示を出す（２０２）。
制御装置１６は、素材装置１１に所定の素材データの送出指示を出し（２０３）、登録用サーバ１２に所定の素材データの登録指示を出し（２０４）、データベースサーバ１３に所定のメタデータの登録指示を出す（２０５）。
素材装置１１は、所定の素材データを登録用サーバ１２に送出し（２０６）、所定のメタデータをデータベースサーバ１３に送出する（２０７）。
登録用サーバ１２は、所定の素材データを登録し（２０８）、制御装置１６に登録済連絡を出す（２０９）。
データベースサーバ１３は、所定のメタデータを登録し（２１０）、制御装置１６に登録済連絡を出す（２１１）。
制御装置１６は、管理端末１７に登録用サーバ１２が所定の素材データを登録し、データベースサーバ１３が所定のメタデータを登録したことを連絡する（２１２）。
【００２０】
次に管理端末１７は、登録用サーバ１２に記憶してある所定のデータファイルをアーカイブ１系装置１４にアーカイブするため、アーカイブ指示を生成し（２１３）、制御装置１６にアーカイブ指示を出す（２１４）。
制御装置１６は、登録用サーバ１２に所定のデータファイルの送出指示を出し（２１５）、アーカイブ１系装置１４に所定のデータファイルのアーカイブ指示を出し（２１６）、アーカイブ２系装置１５に所定のデータファイルのアーカイブ指示を出す（２１７）。
登録用サーバ１２は、所定のデータファイルをアーカイブ１系装置１４に送出し（２１８）、所定のデータファイルをアーカイブ２系装置１５に送出する（２１９）。
アーカイブ１系装置１４は、所定のデータファイルをアーカイブし（２２０）、制御装置１６にアーカイブ済連絡を出す（２２２）。
アーカイブ２系装置１５は、所定のデータファイルをアーカイブし（２２１）、制御装置１６にアーカイブ済連絡を出す（２２３）。
制御装置１６は、管理端末１７にアーカイブ１系装置１４とアーカイブ２系装置１５が所定のデータファイルをアーカイブしたことを連絡する（２２４）。
【００２１】
アーカイブ１系装置１４でアーカイブしたメディアは、必要に応じて所定のカテゴリ又はジャンルの棚であるカテゴリ棚２２に格納する（２２５）。
アーカイブ２系装置１５でアーカイブしたメディアは、必要に応じて所定のカテゴリ又はジャンルの棚であるカテゴリ棚２２に格納する（２２６）。
【００２２】
管理端末１７は、アーカイブしたメディアを管理するため、データベースサーバ１３に所定のメタデータを記憶するため、メディア管理指示を生成し（２２７）、制御装置１６にメディア管理指示を出す（２２８）。
制御装置１６は、データベースサーバ１３に所定のメタデータの管理情報の追加又は更新指示を出す（２２９）。
データベースサーバ１３は、所定のメタデータの管理情報の追加又は更新を記憶し（２３０）、制御装置１６に管理情報更新済連絡を出す（２３１）。
制御装置１６は、管理端末１７にデータベースサーバ１３が所定のメタデータの管理情報の追加又は更新を記憶したことを連絡する（２３２）。
管理端末１７は、データベースサーバ１３に記憶したメタデータの管理状況を表示部１７０に表示する（２３３）。
【００２３】
カテゴリ棚２２に格納したメディアは、必要に応じてアーカイブ１系装置１４又はアーカイブ２系装置１５に装填（２３４、２３５）する。
【００２４】
その次に、本発明の他の一実施例の動作フローを図３で説明する。図３は本発明の他の一実施例であるアーカイブシステムにおけるアーカイブメディアが故障し、そのアーカイブメディアの複製を生成するための動作を説明するためのフローである。
【００２５】
アーカイブ１系装置１４のスロットＡに装填しているメディア１４１が故障した（３０１）。
管理端末１７は、アーカイブ１系装置１４のスロットＡに装填しているメディア１４１の故障状態を確認するため、故障状態確認指示を生成し（３０２）、制御装置１６に故障状態確認指示を出す（３０３）。
制御装置１６は、アーカイブ１系装置１４に故障状態確認指示を出す（３０４）。
アーカイブ１系装置１４は、制御装置１６にスロットＡに装填しているメディア１４１が故障している連絡を送出する（３０５）。
制御装置１６は、管理端末１７にアーカイブ１系装置１４のスロットＡに装填しているメディア１４１が故障している連絡を出す（３０６）。
【００２６】
管理端末１７は、アーカイブ１系装置１４からアーカイブ２系装置１５への切替指示を生成し（３０７）、切替指示を制御装置１６に出す（３０８）。
制御装置１６は、アーカイブ１系装置１４のスロットＡのメディア１４１に停止指示を出し（３０９）、アーカイブ２系装置１５のスロットＡのメディア１４１に動作開始指示を出す（３１１）。
アーカイブ１系装置１４は、スロットＡのメディア１４１の読出しの動作を停止する（３１０）。
アーカイブ２系装置１５は、スロットＡのメディア１４１の読出しの動作を開始する（３１２）。
【００２７】
次に管理端末１７は、故障メディアと複製のためのメディアのメタデータを取得するため、故障メディアと複製のためのメディアのメタデータ読出し指示を生成し（３１３）、故障メディアと複製のためのメディアのメタデータ読出し指示を制御装置１６に出す（３１４）。
制御装置１６は、データベースサーバ１３に故障メディアと複製のためのメディアのメタデータ読出し指示を出す（３１５）。
データベースサーバ１３は、故障メディアと複製のためのメディアのメタデータ読み出し（３１６）、制御装置１６に故障メディアと複製のためのメディアのメタデータを送出する（３１７）。
制御装置１６は、管理端末１７に故障メディアと複製のためのメディアのメタデータを伝送する（３１８）。
【００２８】
管理端末１７は、複製するための元メディアをカテゴリ棚２２から取り出してアーカイブ１系装置１４に装填するため、メディアの装填指示を生成し（３１９）、メディアの装填指示を制御装置１６に出す（３２０）。
制御装置１６は、カテゴリ棚２２にメディアの装填指示を出す（３２１）。
カテゴリ棚２２は、複製するための元メディアを取り出してアーカイブ１系装置１４に装填する（３２２）。
【００２９】
管理端末１７は、故障メディアの複製メディアを作成するため、複製指示を生成し（３２３）、複製指示を制御装置１６に出す（３２４）。
制御装置１６は、アーカイブ１系装置１４に故障メディアの複製メディアを作成するための指示を出す（３２５）。
アーカイブ１系装置１４は、複製するための元メディアから複製メディアを作成し（３２６）、複製済連絡を制御装置１６に送出する（３２７）。
制御装置１６は、管理端末１７に複製済連絡を伝送する（３２８）。
【００３０】
管理端末１７は、複製したメディアを管理するため、データベースサーバ１３に所定のメタデータを記憶するため、メディア管理指示を生成し（３２９）、制御装置１６にメディア管理指示を出す（３３０）。
制御装置１６は、データベースサーバ１３に複製メディアの管理情報の追加指示を出す（３３１）。
データベースサーバ１３は、複製メディアのメタデータの追加を記憶する（３３２）。
【００３１】
図４は、本発明の一実施例であるアーカイブシステムにおける管理端末の動作を説明するためのフローチャートである。
管理端末１７は、ステップＳ１０１で制御装置１６へアーカイブ指示を出し、ステップＳ１０２の処理に進む。
【００３２】
ステップＳ１０２は、制御装置１６から登録用サーバ１２とアーカイブ１系装置１４およびアーカイブ２系装置１５にアーカイブするデータファイルの有無を判定する指示を出し、アーカイブするデータファイルが無い場合（ＮＯ）は本動作の終了の処理に進み、アーカイブするデータファイルが有る場合（ＹＥＳ）はステップＳ１０３の処理に進む。
【００３３】
ステップＳ１０３は、アーカイブするデータファイルを指定し、カテゴリ又はジャンル等の記憶条件を入力し、ステップＳ１０４の処理に進む。
【００３４】
ステップＳ１０４は、アーカイブ１系装置１４およびアーカイブ２系装置１５にメディアの装填指示又は装填の表示を表示部１７０に出し、ステップＳ１０５の処理に進む。
【００３５】
ステップＳ１０５は、アーカイブ１系装置１４およびアーカイブ２系装置１５に装填したメディアがアーカイブできる空容量の有無を判定する指示を出し、空容量が無い場合（ＮＯ）はステップＳ１０６の処理に進み、空容量が有る場合（ＹＥＳ）はステップＳ１０７の処理に進む。
【００３６】
ステップＳ１０６は、アーカイブ１系装置１４およびアーカイブ２系装置１５にメディアの交換指示、又は交換の表示を表示部１７０に出し、ステップＳ１０５の処理に戻る。
ステップＳ１０７は、アーカイブ１系装置１４およびアーカイブ２系装置１５にアーカイブするための記憶指示を出し、アーカイブ１系装置１４およびアーカイブ２系装置１５がメディアに記憶後、ステップＳ１０２の処理に戻る。
【００３７】
次に、図５を用いて、管理端末１７の表示部１７０について説明する。図５は本発明の一実施例である管理端末の表示部に表示する内容を説明するための図である。
【００３８】
図５（Ａ）は、素材装置１１の素材データを登録用サーバ１２に登録するための登録一覧表テーブルを説明するための登録画面図である。
素材一覧表１７０３は、素材装置１１に記憶している素材データの一覧表であり、素材名、素材番号、カテゴリ又はジャンル、素材長、作成日等を表示する。
登録一覧表１７０４は、登録用サーバ１２に登録するための一覧表であり、任意のファイル名又はファイル番号に対応させて素材番号を入力する。そして、登録１７０１を押下することにより、登録用サーバ１２に登録する。
閉じる１７０２は、押下することにより、登録画面を閉じることができる。
【００３９】
図５（Ｂ）は、登録用サーバ１２のデータファイルをアーカイブ１系装置１４およびアーカイブ２系装置１５にアーカイブさせる内容を説明するためのアーカイブ画面図である。
アーカイブ装置名は入力ボックス１７０５のプルダウン選択で「１系」を選択し、スロット名は入力ボックス１７０６のプルダウン選択で「Ａ」を選択し、メディア名は入力ボックス１７０７のプルダウン選択で「光ディスク」を選択する。
アーカイブするファイルの指定は、登録用サーバ１２の登録一覧表１７０４の所定のファイル名欄のアーカイブ指定チェックボックス１７０８にチェックを入れる。本一実施例ではファイル名が「番組ａ」欄のアーカイブ指定チェックボックスにチェックを入れる。
アーカイブ１系装置１４のスロットＡに装填した光ディスクは、アーカイブ１７０９を押下することによってファイル名が「番組ａ」のデータファイルをアーカイブする。
【００４０】
図５（Ｃ）は、故障したメディアの複製を説明するためのファイルの複製画面図である。
最初は故障したメディアの管理情報を取得する。
アーカイブ装置名は入力ボックス１７０５のプルダウン選択で「１系」を選択し、スロット名は入力ボックス１７０６のプルダウン選択で「Ａ」を選択し、メディア名は入力ボックス１７０７のプルダウン選択で「光ディスク」を選択し、管理データ読出し１７１０を押下することによってデータベースサーバ１３から故障したメディアの管理情報し、読出した管理データ１７１１を表示する。
次は複製元ファイルの抽出である。
複製元ファイル抽出１７１２は押下することによってデータベースサーバ１３から故障したメディアの管理情報に適合したファイルを抽出し、抽出した管理データ１７１３を表示する。
その次はファイルを複製するための複製先の指定である。
本一実施例では、アーカイブ装置名は入力ボックス１７１４のプルダウン選択で「１系」を選択し、スロット名は入力ボックス１７１５のプルダウン選択で「Ｅ」を選択し、メディア名は入力ボックス１７１６のプルダウン選択で「光ディスク」を選択し、複製１７１７を押下することによって、抽出した管理データである番組ｆと番組ｇのデータファイルから番組ａのデータファイルを生成してスロットＥに装填したメディアに記憶する。
【００４１】
次に図６を用いてアーカイブメディアの複製の動作を説明する。
図６は本発明の他の一実施例であるアーカイブシステムにおけるアーカイブメディアの複製の動作を説明するための図である。
アーカイブ１系装置１４のスロットＡに装填したメディア１４１が故障した。
メディア１４１に記憶している素材データの素材番号は、Ｓ０００１，Ｓ０００２，Ｓ０００３である。
メディア１４１を複製するためには、素材番号がＳ０００１，Ｓ０００２，Ｓ０００３を含んだメディアをスロットＦとスロットＧに装填する。
スロットＦに装填したメディア１４６に記憶している素材データの素材番号は、Ｓ０００１，Ｓ０００２，Ｓ０００４である。
スロットＧに装填したメディア１４７に記憶している素材データの素材番号は、Ｓ０００３，Ｓ０００５，Ｓ０００６である。
空き容量のあるメディア１４５は、スロットＥに装填して、素材番号Ｓ０００１，Ｓ０００２，Ｓ０００３のファイルデータを記憶することにより、故障したメディア１４１のファイルデータの複製を生成することができる。
アーカイブ１系装置１４のスロットＢはメディア１４２を装填し、スロットＣはメディア１４３を装填し、スロットＤはメディア１４４を装填してある。
【００４２】
図７は、本発明の一実施例であるデータベースサーバ１３に記憶しているメディア記憶状況管理テーブルを説明するための図である。
図７は、メディア記憶状況管理テーブルであり、カテゴリ欄又はジャンル欄、メディア欄、ファイル名欄、ファイル番号欄、素材番号欄、合計素材長欄、備考欄等である。
【００４３】
本発明のアーカイブシステムは、アーカイブメディアをカテゴリ又はジャンル毎に容易に管理することができる。
上述の実施例において、カテゴリは３種類で説明したが、本発明は２種類以上のカテゴリ又はジャンルに適用することができることは言うまでもない。
【００４４】
また、本発明のアーカイブシステムは、アーカイブメディアが故障しても他のアーカイブメディアから容易に複製することができる。
【００４５】
上述の実施例において、文字や英数字を入力するボックスやブルダウンメニューから選択するボックスは、上述の実施例に限定されるものではなく、どのような入力形態でも良いことは言うまでもない。
【００４６】
以上本発明について詳細に説明したが、本発明は、ここに記載されたアーカイブシステムに限定されるものではなく、上記以外のアーカイブシステムに広く適用することができることは言うまでもない。
【符号の説明】
【００４７】
１１：素材装置、１２：登録用サーバ、１３：データベースサーバ、１４：アーカイブ１系装置、１５：アーカイブ２系装置、１６：制御装置、１７：管理端末、１８：送出用サーバ１系装置、１９：送出用サーバ２系装置、２０：送出ライン１系、２１：送出ライン２系、２２：カテゴリＸ棚、２３：カテゴリＹ棚、２４：カテゴリＺ棚。
【図１】
2014016938.tif 000003
【図２】
2014016938.tif 000004
【図３】
2014016938.tif 000005
【図４】
2014016938.tif 000006
【図５】
2014016938.tif 000007
【図６】
2014016938.tif 000008
【図７】
2014016938.tif 000009